(57)【要約】【課題】本発明は、挿入ページを印刷ジョブ間に挿入する挿入ページ処理を自己の機能として実行する画像形成装置、画像形成制御プログラム及び記録媒体に関する。【解決手段】プリンタ装置Ｐｒ１〜Ｐｒｍは、ネットワークＮＷ上のホストコンピュータＨＣ１〜ＨＣｎからの印刷ジョブが発生すると、バナーページ（挿入ページ）情報を該印刷ジョブのバナーページに印刷出力し、該印刷ジョブの先頭または最後に該バナーページを挿入する。したがって、非Windows環境下においても、また、ホストコンピュータＨＣ１〜ＨＣｎ側にドライバをインストールすることなく、印刷ジョブ間に適宜のバナーページ情報を印刷したバナーページを挿入することができる。【選択図】          図１
2008073901.tif 000002
【特許請求の範囲】
【請求項１】
給紙部から送り出されてきた被記録媒体に画像形成部で印刷ジョブの印刷データに基づいた印刷を行って排出部に排出するとともに、前記印刷ジョブの先頭または最後に挿入ページとして前記被記録媒体を挿入するページ挿入処理を行う画像形成装置であって、前記挿入ページに印刷する所定の挿入ページ情報を記憶する記憶手段と、印刷ジョブが発生すると、該印刷ジョブに対して前記挿入ページ情報を前記記憶手段から取り出して前記挿入ページに印刷出力して該印刷ジョブの先頭または最後に該挿入ページを挿入する制御手段と、を備えていることを特徴とする画像形成装置。
【請求項２】
印刷ジョブの先頭または最後に挿入ページとして被記録媒体を挿入するページ挿入処理を行う画像形成制御プログラムであって、印刷ジョブが発生すると、所定の挿入ページ情報を記憶する記憶手段から該挿入ページ情報を取り出して該印刷ジョブの挿入ページに印刷出力し、該印刷ジョブの先頭または最後に該挿入ページを挿入することを特徴とする画像形成制御プログラム。
【請求項３】
前記画像形成装置または前記画像形成制御プログラムは、前記印刷ジョブに挿入ページ情報が付与されているか判別し、該印刷ジョブに挿入ページ情報が付与されているときには、該挿入ページ情報を該印刷ジョブに対する挿入ページ情報として用い、該印刷ジョブに挿入ページ情報が付与されていないときには、前記記憶手段の挿入ページ情報を該印刷ジョブに対する挿入ページ情報として用いることを特徴とする請求項１記載の画像形成装置または請求項２記載の画像形成制御プログラム。
【請求項４】
前記画像形成装置または前記画像形成制御プログラムは、前記印刷ジョブに挿入ページ情報が付与されているか判別し、該印刷ジョブに挿入ページ情報が付与されているときには、該印刷ジョブに付与されている挿入ページ情報と前記記憶手段の挿入ページ情報のうち、任意に設定される優先度に基づいて該印刷ジョブに対する挿入ページ情報を決定することを特徴とする請求項１記載の画像形成装置または請求項２記載の画像形成制御プログラム。
【請求項５】
前記画像形成装置または前記画像形成制御プログラムは、前記挿入ページへの前記挿入ページ情報の印刷を、選択に応じて制御することを特徴とする請求項１から請求項４のいずれかに記載の画像形成装置または画像形成制御プログラム。
【請求項６】
前記記憶手段の前記挿入ページ情報または前記印刷ジョブに付与されている前記挿入ページ情報は、所定の文字列を含むことを特徴とする請求項１から請求項５のいずれかに記載の画像形成装置または画像形成制御プログラム。
【請求項７】
前記印刷ジョブに付与されている前記文字列は、該印刷ジョブのＰＪＬで指定されることを特徴とする請求項６記載の画像形成装置または画像形成制御プログラム。
【請求項８】
前記記憶手段の前記文字列は、入力操作された任意の文字列であることを特徴とする請求項６記載の画像形成装置または画像形成制御プログラム。
【請求項９】
印刷ジョブの先頭または最後に挿入ページとして被記録媒体を挿入するページ挿入処理を行う画像形成制御プログラムを記録する記録媒体であって、前記画像形成制御プログラムとして、請求項２から請求項８のいずれかに記載の画像形成制御プログラムを記録することを特徴とする記録媒体。
【発明の詳細な説明】
【技術分野】
【０００１】
本発明は、画像形成装置、画像形成制御プログラム及び記録媒体に関し、詳細には、挿入ページを印刷ジョブ間に挿入する挿入へ紙処理を自己の機能として実行する画像形成装置、画像形成制御プログラム及び記録媒体に関する。
【背景技術】
【０００２】
基幹系印刷においては、複数の印刷ジョブを連続して大量に印刷することが行われ、排紙先に出力された印刷済用紙を、印刷ジョブ毎に仕分けをしやすくするために、従来からセパレータとして合紙を挿入し、また、表紙をジョブの先頭に挿入することが行われている。
【０００３】
この表紙・合紙機能は、Windows（登録商標）のＯＳ（Operating System）環境下では、Windowsの標準の機能として搭載されている毎ジョブの先頭ページに挿入するバナーページ印刷を利用して行われる。
【０００４】
すなわち、図６に示すように、ネットワーク１００に３台のプリンタ装置１０１〜１０３とホストコンピュータ１０４が接続されている場合、ホストコンピュータ１０４は、ＯＳとしてのWindows１１０上に、アプリケーションソフトウェアプログラム（以下、アプリケーションという。）１１１と各プリンタ１０１〜１０３に対応したプリンタドライバ１１２〜１１４を搭載し、また、ネットワーク（Network）Ｉ／Ｆ１１５等を備えている。そして、プリンタ装置１０１〜１０３は、図７に示すように、プリンタシステム１２０、ネットワークＩ／Ｆ１２１、プリンタ言語処理部１２２及び操作部１２３等を備えており、ネットワークＩ／Ｆ１２１によりネットワーク１００を介してホストコンピュータ１００４と接続されている。なお、図６では、ネットワーク１００上のホストコンピュータ１０４は、１台のみ記載されているが、通常は、複数台接続されている。
【０００５】
このようなシステムにおいては、ホストコンピュータ１０４が、表紙・合紙機能を有するWindows１１０上に各プリンタ装置１０１〜１０３用のプリンタドライバ１１２〜１１４を搭載しており、プリンタドライバ１１２〜１１４を利用して表紙・合紙の設定、例えば、合紙の挿入位置と挿入枚数等の合紙設定を行うようになっている（特許文献１、特許文献２等参照）。
【０００６】
【特許文献１】特開２００６−３１４７９号公報
【特許文献２】特開２００２−２６５１３５号公報
【発明の開示】
【発明が解決しようとする課題】
【０００７】
しかしながら、上記従来技術にあっては、Windowsの機能を利用して表紙・合紙処理を行っているため、Windows環境では、表紙・合紙処理を行うことができず、汎用性を向上させて、表紙・合紙処理の利用性の良好な画像形成を行う上で、改良の必要があった。
【０００８】
すなわち、Windowsの機能を利用して表紙・合紙処理を行っているため、プリンタドライバ等をホストコンピュータ等のホスト装置にインストールする必要があるが、基幹系等の非Windows環境ではプリンタドライバがインストールされていないケースも多く、このような状況においては、表紙・合紙機能を利用することができない。
【０００９】
また、従来のWindowsを利用した表紙・合紙機能にあっては、合紙で挿入される紙としては、画像形成装置で印刷として利用している用紙をそのまま白紙の状態で利用するのが一般的であるが、複数のユーザが共有の画像形成装置を利用して印刷する場合、排紙先に多くのユーザの印刷物が白紙の用紙を合紙として挟んだ状態で蓄積されてしまい、どの印刷束が誰の印刷束であるのかの判別が難しくなるという問題があった。
【００１０】
そこで、本発明は、非Windows環境においても、印刷ジョブの先頭または最後に適宜なページ挿入を行う画像形成装置、画像形成制御プログラム及び記録媒体を提供することを目的としている。
【課題を解決するための手段】
【００１１】
請求項１記載の発明の画像形成装置は、給紙部から送り出されてきた被記録媒体に画像形成部で印刷ジョブの印刷データに基づいた印刷を行って排出部に排出するとともに、前記印刷ジョブの先頭または最後に挿入ページとして前記被記録媒体を挿入するページ挿入処理を行う画像形成装置であって、前記挿入ページに印刷する所定の挿入ページ情報を記憶する記憶手段と、印刷ジョブが発生すると、該印刷ジョブに対して前記挿入ページ情報を前記記憶手段から取り出して前記挿入ページに印刷出力して該印刷ジョブの先頭または最後に該挿入ページを挿入する制御手段と、を備えていることにより、上記目的を達成している。
【００１２】
請求項２記載の発明の画像形成制御プログラムは、印刷ジョブの先頭または最後に挿入ページとして被記録媒体を挿入するページ挿入処理を行う画像形成制御プログラムであって、印刷ジョブが発生すると、所定の挿入ページ情報を記憶する記憶手段から該挿入ページ情報を取り出して該印刷ジョブの挿入ページに印刷出力し、該印刷ジョブの先頭または最後に該挿入ページを挿入することにより、上記目的を達成している。
【００１３】
上記各場合において、例えば、請求項３に記載するように、前記画像形成装置または前記画像形成制御プログラムは、前記印刷ジョブに挿入ページ情報が付与されているか判別し、該印刷ジョブに挿入ページ情報が付与されているときには、該挿入ページ情報を該印刷ジョブに対する挿入ページ情報として用い、該印刷ジョブに挿入ページ情報が付与されていないときには、前記記憶手段の挿入ページ情報を該印刷ジョブに対する挿入ページ情報として用いてもよい。
【００１４】
また、例えば、請求項４に記載するように、前記画像形成装置または前記画像形成制御プログラムは、前記印刷ジョブに挿入ページ情報が付与されているか判別し、該印刷ジョブに挿入ページ情報が付与されているときには、該印刷ジョブに付与されている挿入ページ情報と前記記憶手段の挿入ページ情報のうち、任意に設定される優先度に基づいて該印刷ジョブに対する挿入ページ情報を決定してもよい。
【００１５】
さらに、例えば、請求項５に記載するように、前記画像形成装置または前記画像形成制御プログラムは、前記挿入ページへの前記挿入ページ情報の印刷を、選択に応じて制御してもよい。
【００１６】
また、例えば、請求項６に記載するように、前記記憶手段の前記挿入ページ情報または前記印刷ジョブに付与されている前記挿入ページ情報は、所定の文字列を含んでもよい。
【００１７】
さらに、例えば、請求項７に記載するように、前記印刷ジョブに付与されている前記文字列は、該印刷ジョブのＰＪＬで指定されてもよい。
【００１８】
また、例えば、請求項８に記載するように、前記記憶手段の前記文字列は、入力操作された任意の文字列であってもよい。
【００１９】
請求項９記載の発明の記録媒体は、印刷ジョブの先頭または最後に挿入ページとして被記録媒体を挿入するページ挿入処理を行う画像形成制御プログラムを記録する記録媒体であって、前記画像形成制御プログラムとして、請求項２から請求項８のいずれかに記載の画像形成制御プログラムを記録することにより、上記目的を達成している。
【発明の効果】
【００２０】
本発明によれば、印刷ジョブが発生すると、所定の挿入ページ情報を該印刷ジョブの挿入ページに印刷出力し、該印刷ジョブの先頭または最後に該挿入ページを挿入するので、非Windows環境下においても、また、ホスト装置側にドライバをインストールすることなく、印刷ジョブ間に適宜の挿入ページ情報を印刷した挿入ページを挿入することができ、印刷ジョブ毎に仕分けを行いやすくして、利用性を向上させることができる。
【発明を実施するための最良の形態】
【００２１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２２】
図１〜図５は、本発明の画像形成装置、画像形成制御プログラム及び記録媒体の一実施例を示す図であり、図１は、本発明の画像形成装置、画像形成制御プログラム及び記録媒体の一実施例を適用したネットワークシステム１のシステム構成図である。
【００２３】
図１において、ネットワークシステム１は、ＬＡＮ（Local Area Network）等のネットワークＮＷに、複数のホストコンピュータＨＣ１〜ＨＣｎと複数のプリンタ装置（画像形成装置）Ｐｒ１〜Ｐｒｍが接続されている。
【００２４】
ホストコンピュータＨＣ１〜ＨＣｎは、通常のコンピュータとしてのハードウェアを備えているとともに、図２に示すように、非Windows系のＯＳ１０上に、アプリケーション１１を搭載しているとともに、ネットワーク（Network）Ｉ／Ｆ１２を備えており、ネットワークＩ／Ｆ１２にネットワークＮＷが接続されている。また、ホストコンピュータＨＣ１〜ＨＣｎは、図３に示すように、図示しないキーボードやマウス等の入力デバイスまたは該入力デバイスを利用したウェブ（Ｗｅｂ）操作部１３を備えている。
【００２５】
ホストコンピュータＨＣ１〜ＨＣｎは、アプリケーション１１で作成された文書データに対してアプリケーション１１で印刷要求が指示操作されると、非Windows系ＯＳが、ネットワークＩ／Ｆ１２を利用してネットワークＮＷを介して指定のプリンタ装置Ｐｒ１〜Ｐｒｍに印刷データと印刷要求を含む印刷ジョブを送信する。
【００２６】
プリンタ装置Ｐｒ１〜Ｐｒｍは、印刷部（画像形成部）、複数枚の用紙（被記録媒体）を収納する用紙カセットを少なくとも１つ以上備えている用紙収納部（送給部）、用紙収納部の用紙カセット内の用紙を１枚ずつ印刷部に搬送・供給する用紙搬送部、印刷部で印刷された印刷済用紙を少なくとも１つ以上設置されている排紙トレイ（排出部）上に搬送して排出する排紙搬送部等のプリンタ装置としての基本機能部を備えているとともに、図３に示すように、プリンタシステム２０、ネットワーク（Network）Ｉ／Ｆ２１、プリンタ言語処理部２２及び操作部２３等を備えており、プリンタシステム２０がバナーページデータ２０ａを備え、プリンタ言語処理部２２がバナーページ処理部２２ａを備えている。なお、以下の説明において、バナーページ（挿入ページ）とは、印刷中に用紙間、特に、印刷ジョブの先頭や最後等の印刷ジョブ間に挿入するページをいい、バナーページ情報（挿入ページ情報）とは、このバナーページに使用するジョブに関する所定の情報をいうものとする。
【００２７】
プリンタ言語処理部２２は、プリンタシステム２１の制御下で、ネットワークＮＷを介してホストコンピュータＨＣ１〜ＨＣｎから送られてきた印刷ジョブを解釈して、該印刷ジョブの印刷データを用紙に印刷出力させるとともに、後述する表紙・合紙処理を実行する。
【００２８】
プリンタシステム２０は、内部メモリ等に格納されている基本プログラムに基づいてプリンタ装置Ｐｒ１〜Ｐｒｍの各部を制御してプリンタ装置Ｐｒ１〜Ｐｒｍとしての基本処理を実行するとともに、該内部メモリ等に格納されている画像形成制御プログラムに基づいて後述するバナーページ制御処理（画像形成制御処理）を実行する。
【００２９】
すなわち、プリンタ装置Ｐｒ１〜Ｐｒｍは、ＣＤ（Compact Disc）、ＣＤ−ＲＷ（Compact Disc Rewritable ）、ＤＶＤ（Digital Video Disk）、フレキシブルディスク等の記録媒体に記録されている画像形成制御制御プログラムを読み込ませて導入することで、後述するバナーページ制御処理（画像形成制御処理）を実行するプリンタ装置（画像形成装置）Ｐｒ１〜Ｐｒｍとして構築されている。
【００３０】
また、プリンタシステム２０は、タイマ機構を内蔵または外付けで備えており、タイマ機能は、現在日時を計時する。
【００３１】
さらに、プリンタシステム２０は、バナーページデータ２０ａをそのバナー情報メモリ（図示略）に格納しており、バナーページデータ２０ａは、図４に示すように、バナーページ情報とその処理方法（設定方法）を示すであり、図４において、設定方法の欄に示されている「印刷データ情報（ＰＪＬで設定）は、ホストコンピュータＨＣ１〜ＨＣｎからの印刷データにＰＪＬ（Printer Job Language：プリンタジョブ制御言語）がついている場合に、該印刷データ（ＰＪＬ）によって設定されるバナーページ情報であり、プリンタ本体情報（Ｗｅｂ操作部ｏｒ操作部で設定）は、ホストコンピュータＨＣ１〜ＨＣｎのＷｅｂ操作部１３またはプリンタ装置Ｐｒ１〜Ｐｒｍの操作部２３で設定されるバナーページ情報であり、優先度は、印刷データ情報で設定されるバナーページ情報とプリンタ本体情報で設定されるバナーページ情報のいずれを優先させるかを示すものである。また、図４において、バナーページ情報の欄には、バナーページ情報として、保存される情報の一覧を示しており、以下、個別のバナーページ情報について説明する。
【００３２】
まず、バナーページＯＮ／ＯＦＦ情報は、プリンタ装置Ｐｒ１〜Ｐｒｍの本体が保持するバナーページ情報の印刷をするかどうかを決定する情報であり、ホストコンピュータＨＣ１〜ＨＣｎのＷｅｂ操作部１３による操作またはプリンタ装置Ｐｒ１〜Ｐｒｍの操作部２３で設定された情報である。
【００３３】
ジョブ（ＪＯＢ）ＩＤは、ＰＪＬを使用可能な環境であれば、印刷データ内で指定することができるが、プリンタ装置Ｐｒ１〜Ｐｒｍ本体では知ることは不可能であるため、印刷データ情報で「○」、プリンタ本体情報で「×」が付いている。したがって、ジョブＩＤは、優先度の列に記載されているように、ＰＪＬで指定があれば、それをジョブＩＤとして利用し、ＰＪＬで指定がないときには、ジョブＩＤをバナーページに出力しない。
【００３４】
日付及び時間は、ＰＪＬでもプリンタ装置Ｐｒ１〜Ｐｒｍ本体でも情報として取得できるが、その日付や時間に差異がある。すなわち、ＰＪＬ情報の日付及び時間は、ホストコンピュータＨＣ１〜ＨＣｎ側で該印刷ジョブがアプリケーション１１またはドライバで出力された日付及び時間であり、プリンタ本体情報の日付及び時間は、プリンタ装置Ｐｒ１〜Ｐｒｍの内蔵するタイマ機構が計時する現在日時(日付と時間）である。したがって、本実施例では、バナーページ情報としては、印刷にとってより正確な日付及び時間であるプリンタ本体情報を優先して使用するように、優先度の欄に設定されている。
【００３５】
給紙トレイは、バナーページに使用する用紙として、どの給紙トレイを指定するかの情報であり、印刷データ情報とプリンタ本体情報のいずれによっても設定可能であるが、ユーザの意思により近い印刷データ情報での指定を優先するように、優先度の欄に設定されている。
【００３６】
任意文字列は、バナーページ情報に使用する文字列として、どのようなどんな文字列を出力するかの情報であり、印刷データ情報とプリンタ本体情報のいずれによっても指定可能であるが、ユーザの意思により近い印刷データ情報での指定を優先するように、優先度の欄に設定されている。
【００３７】
なお、上記図４においては、その優先度として、日付、時間の情報については、本体情報をＰＪＬ情報よりも優先し、給紙トレイと文字列（任意文字列）については、ＰＪＬ情報を本体情報よりも優先しているが、優先度の設定は、任意であり、上記逆の優先度の設定であってもよいし、さらに異なる優先度の設定であってもよい。
【００３８】
プリンタ言語処理部２２は、印刷ジョブのプリンタ言語を解釈して、必要な印刷設定を行うとともに、印刷データを印刷部が処理可能な描画データに変換する。
【００３９】
プリンタ言語処理部２２は、上述のように、バナーページ処理部２２ａを備えており、バナーページ処理部２２ａが、プリンタシステム２０の制御下で、後述するバナーページ制御処理（画像形成制御処理）を行う。
【００４０】
次に、本実施例の作用を説明する。本実施例のネットワークシステム１は、プリンタ装置Ｐｒ１〜ＰｒｍにおいてホストコンピュータＨＣ１〜ＨＣｎからの印刷ジョブ毎にバナーページを挿入するとともに、該バナーページにバナーページ情報を印刷する。
【００４１】
すなわち、印刷ジョブ（印刷データ）を受信すると（ステップＳ１０１）、プリンタ装置Ｐｒ１〜Ｐｒｍ本体のプリンタシステム２０のバナー情報メモリに保存されているバナーページデータ２０ａを参照して、バナーページＯＮ／ＯＦＦ情報がバナーページＯＮの設定となっているかチェックし（ステップＳ１０２）、バナーページＯＮ／ＯＦＦ情報がバナーページＯＦＦであると、バナーページ印刷を行うことなく、該印刷ジョブのＰＤＬ（Page Description Language）処理、すなわち、ＰＤＬを解釈して必要な印刷設定を行い、印刷データを描画データに変換して印刷部に印刷処理させて、バナーページ制御処理を終了する（ステップＳ１１１）。
【００４２】
ステップＳ１０２で、バナーページＯＮ／ＯＦＦ情報がバナーページＯＮであると、プリンタ装置Ｐｒ１〜Ｐｒｍは、印刷ジョブにＰＪＬの指定（付加）があるかチェックし（ステップＳ１０３）、ＰＪＬが付加されていると、該ＰＪＬにバナーページへの文字列の指定があるかチェックする（ステップＳ１０４）。印刷ジョブにＰＪＬの指定があるか否かは、ＰＪＬコマンドの最初と最後についてくるデータであるＵＥＬコマンドに基づいて判断する。すなわち、ＵＥＬコマンドがあると、ＰＪＬの指定があると判断し、ＵＥＬコマンドがないと、ＰＪＬの指定がないと判断する。
【００４３】
ステップＳ１０４で、文字列の指定があるときには、プリンタ装置Ｐｒ１〜Ｐｒｍは、該ＰＪＬで指定されている文字列をバナーページ情報としてセットし（ステップＳ１０５）、ステップＳ１０４で、ＰＪＬにバナーページへの文字列の指定がないときには、プリンタ装置Ｐｒ１〜Ｐｒｍの操作部２３またはホストコンピュータＨＣ１〜ＨＣｎのＷｅｂ操作部１３で指定されている文字列をバナーページ情報としてセットする（ステップＳ１０６）。
【００４４】
文字列のセットを完了すると、プリンタ装置Ｐｒ１〜Ｐｒｍは、ＰＪＬにバナーページへの給紙トレイの指定があるかチェックし（ステップＳ１０７）、ＰＪＬに給紙トレイの指定があると、該ＰＪＬで指定の給紙トレイを使用する給紙トレイとしてセットする（ステップＳ１０８）。
【００４５】
ステップＳ１０７で、ＰＪＬに給紙トレイの指定がないときには、プリンタ装置Ｐｒ１〜Ｐｒｍは、プリンタ装置Ｐｒ１〜Ｐｒｍの操作部２３またはホストコンピュータＨＣ１〜ＨＣｎのＷｅｂ操作部１３で指定されている給紙トレイを今回の印刷に使用する給紙トレイとしてセットする（ステップＳ１１０）。
【００４６】
給紙トレイのセットが完了すると、プリンタ装置Ｐｒ１〜Ｐｒｍは、その備えているタイマ機構の計時する現在日時（日付と時間）を取得して、バナーページ情報としてセットし（ステップＳ１０９）、まず、バナーページ情報の印刷を行って、該印刷の完了したバナーページを排紙した後、上記同様にＰＤＬ処理によって印刷データの印刷を行って、バナーページ制御処理を終了する（ステップＳ１１１）。
【００４７】
なお、現在日時は、上述のように、ＰＪＬ情報の日付及び時間が、ホストコンピュータＨＣ１〜ＨＣｎ側で該印刷ジョブがアプリケーション１１またはドライバで出力された日付及び時間であり、プリンタ装置Ｐｒ１〜Ｐｒｍ本体情報の日付及び時間が、プリンタ装置Ｐｒ１〜Ｐｒｍの内蔵するタイマ機構が計時する現在日時(日付と時間）であるため、本実施例では、バナーページ情報としては、印刷にとってより正確な日付及び時間であるプリンタ本体情報を優先して使用するように、優先度の欄に設定されているが、ＰＪＬの日時情報を採用してもよい。
【００４８】
また、上記ステップＳ１０３で、印刷ジョブにＰＪＬの指定（付加）がないときには、プリンタ装置Ｐｒ１〜Ｐｒｍは、プリンタ装置Ｐｒ１〜Ｐｒｍの操作部２３またはホストコンピュータＨＣ１〜ＨＣｎのＷｅｂ操作部１３で指定され図４に示したプリンタ本体情報欄に設定されている文字列をバナーページ情報としてセットし、また、給紙トレイをバナーページで使用する給紙トレイとしてセットし（ステップＳ１１２）、その備えているタイマ機構の計時する現在日時（日付と時間）を取得して、バナーページ情報としてセットし（ステップＳ１０９）、上記同様にＰＤＬ処理による印刷処理を行って、バナーページ制御処理を終了する（ステップＳ１１１）。
【００４９】
なお、上記説明においては、バナーページを印刷ジョブの先頭に挿入する場合について説明したが、バナーページを印刷ジョブの最後に挿入するようにしてもよい。
【００５０】
このように、本実施例のプリンタ装置Ｐｒ１〜Ｐｒｍは、印刷ジョブが発生すると、バナーページ情報（挿入ページ情報）を該印刷ジョブのバナーページ（挿入ページ）に印刷出力し、該印刷ジョブの先頭または最後に該バナーページを挿入している。
【００５１】
したがって、非Windows環境下においても、また、ホストコンピュータＨＣ１〜ＨＣｎ側にドライバをインストールすることなく、印刷ジョブ間に適宜のバナーページ情報を印刷したバナーページを挿入することができ、印刷ジョブ毎に仕分けを行いやすくして、利用性を向上させることができる。
【００５２】
また、本実施例のプリンタ装置Ｐｒ１〜Ｐｒｍは、印刷ジョブにバナーページ情報が付与されているか判別し、該印刷ジョブにバナーページ情報が付与されているときには、該バナーページ情報を該印刷ジョブに対するバナーページ情報として用い、該印刷ジョブにバナーページ情報が付与されていないときには、プリンタ装置Ｐｒ１〜Ｐｒｍのバナーページデータ２０ａのバナーページ情報を該印刷ジョブに対するバナーページ情報として用いている。
【００５３】
したがって、ホストコンピュータＨＣ１〜ＨＣｎの利用環境や印刷ジョブのバナーページに対する要望等に応じて適切なバナーページ情報を印刷することができ、バナーページ情報によってより一層適切に印刷ジョブ毎の仕分けを行って、利用性をより一層向上させることができる。
【００５４】
さらに、本実施例のプリンタ装置Ｐｒ１〜Ｐｒｍは、印刷ジョブにバナーページ情報が付与されているか判別し、該印刷ジョブにバナーページ情報が付与されているときには、該印刷ジョブに付与されているバナーページ情報とバナーページデータ２０ａのバナーページ情報のうち、任意に設定される優先度に基づいて該印刷ジョブに対するバナーページ情報を決定している。
【００５５】
したがって、ホストコンピュータＨＣ１〜ＨＣｎの利用環境や印刷ジョブのバナーページに対する要望等に応じて設定した優先度に基づいて適切なバナーページ情報を印刷することができ、バナーページ情報によってより一層適切に印刷ジョブ毎の仕分けを行って、利用性をより一層向上させることができる。
【００５６】
また、本実施例のプリンタ装置Ｐｒ１〜Ｐｒｍは、バナーページへのバナーページ情報の印刷を、選択に応じて制御している。
【００５７】
したがって、ホストコンピュータＨＣ１〜ＨＣｎの利用環境や印刷ジョブのバナーページに対する要望等に応じてバナーページ情報の印刷を制御することができ、利用性をより一層向上させることができる。
【００５８】
さらに、本実施例のプリンタ装置Ｐｒ１〜Ｐｒｍは、バナーページデータ２０ａのバナーページ情報または印刷ジョブに付与されているバナーページ情報が、所定の文字列を含むものとしている。
【００５９】
したがって、バナーページ情報によってより一層適切に印刷ジョブ毎の仕分けを行うことができ、利用性をより一層向上させることができる。
【００６０】
また、本実施例のプリンタ装置Ｐｒ１〜Ｐｒｍは、印刷ジョブに付与されている文字列が、該印刷ジョブのＰＪＬで指定される。
【００６１】
したがって、ホストコンピュータＨＣ１〜ＨＣｎの利用環境や印刷ジョブのバナーページに対する要望等に応じて適宜任意の文字列をバナー情報として設定して、印刷することができ、バナーページ情報によってより一層適切に印刷ジョブ毎の仕分けを行って、利用性をより一層向上させることができる。
【００６２】
さらに、本実施例のプリンタ装置Ｐｒ１〜Ｐｒｍは、バナーページデータ２０ａの文字列として、ホストコンピュータＨＣ１〜ＨＣｎのＷｅｂ操作部１３またはプリンタ装置Ｐｒ１〜Ｐｒｍの操作部２３で入力操作された任意の文字列を用いている。
【００６３】
したがって、利用環境や印刷ジョブのバナーページに対する要望等に応じて適宜任意の文字列をバナー情報として設定して、印刷することができ、バナーページ情報によってより一層適切に印刷ジョブ毎の仕分けを行って、利用性をより一層向上させることができる。
【００６４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６５】
本発明は、非Windows系のＯＳの環境下においても、適切にバナーページ処理を行う画像形成装置、画像形成プログラム及び記録媒体に適用することができる。
【図面の簡単な説明】
【００６６】
【図１】本発明の画像形成装置、画像形成プログラム及び記録媒体の一実施例を適用したネットワークシステムのシステム構成図。
【図２】図１のホストコンピュータの要部機能ブロック構成図。
【図３】図１のプリンタ装置の要部機能ブロック構成図。
【図４】図３のバナーページデータの一例を示す図。
【図５】図３のプリンタ装置によるバナーページ制御処理を示すフローチャート。
【図６】従来のネットワークシステムのシステム構成及びホストコンピュータの要部機能ブロック構成を示す図。
【図７】図６の従来のプリンタ装置の要部機能ブロック構成図。
【符号の説明】
【００６７】
１  ネットワークシステム
ＮＷ  ネットワーク
ＨＣ１〜ＨＣｎ  ホストコンピュータ
１０  ＯＳ
１１  アプリケーション
１２  ネットワークＩ／Ｆ
Ｐｒ１〜Ｐｒｍ  プリンタ装置
２０  プリンタシステム
２１  ネットワークＩ／Ｆ
２０ａ  バナーページデータ
２２  プリンタ言語処理部
２２ａ  バナーページ処理部
２３  操作部
【図１】
2008073901.tif 000003
【図２】
2008073901.tif 000004
【図３】
2008073901.tif 000005
【図４】
2008073901.tif 000006
【図５】
2008073901.tif 000007
【図６】
2008073901.tif 000008
【図７】
2008073901.tif 000009